(57)【要約】      （修正有）【課題】簡単な構成で高い防臭、防虫効果が得られるトラップ装置を提供する。【解決手段】生活排水等を下水へ排水する排水管５に取り付けて、臭気や衛生害虫等の侵入を防止するトラップ装置であって、一端側に排水管５に接続する接続口１ａを有し、他端側に傾斜する流出口１ｂを有する筒状のトラップ本体１と、トラップ本体１の流出口１ｂに設けられ、かつ上部がヒンジ３により流出口１ｂの上部に開閉自在に蝶着されたシャッタ板２とを備え、シャッタ板２の自重により流出口１ｂを閉鎖することにより、流出口１ｂより臭気や衛生害虫が侵入するのを防止するようにしたもので、簡単な構成で高い防臭、防虫効果が得られる。【選択図】図１
2005299326.tif 000002
【特許請求の範囲】
【請求項１】
生活排水等を下水へ排水する排水管に取り付けて、臭気や衛生害虫等の侵入を防止するトラップ装置であって、一端側に前記排水管に接続する流入口を有し、他端側に傾斜する流出口を有する筒状のトラップ本体と、前記トラップ本体の前記流出口に設けられ、かつ上部がヒンジにより前記流出口の上部に開閉自在に蝶着されたシャッタ板とを備え、前記シャッタ板の自重により前記流出口を閉鎖することにより、前記流出口より臭気や衛生害虫等が侵入するのを防止することを特徴とするトラップ装置。
【請求項２】
前記シャッタ板を水平方向に複数分割して上部シャッタ板と下部シャッタ板を形成し、かつ前記上部シャッタ板と前記下部シャッタ板の間をヒンジにより蝶着してなる請求項１に記載のトラップ装置。
【発明の詳細な説明】
【技術分野】
【０００１】
本発明は、排水管に取り付けて、臭気や衛生害虫等の侵入を防止するトラップ装置に関する。
【背景技術】
【０００２】
住宅等の建造物に設置された排水管には、台所や洗面所、浴室、洗濯機等から排水される生活排水の他にトイレ等から排水される汚水が流入するようになっている。
排水管に流入した生活排水や汚水（以下生活排水等という）は、下水道が完備されている地域では、そのまま下水道に放流されるが、下水道が完備されていない地域では、排水管の途中に浄化槽等の浄化設備を設置して、浄化設備により生活排水等を浄化した後、路肩等に設置されたＵ字溝等の排水溝へ排水している。
しかし生活排水等は、浄化設備で浄化した場合でも排水中に臭気が残り、この臭気が排水管を通って建造物内に逆流し、生活環境を悪化させる問題がある。
【０００３】
また生活排水等を下水道へ直接放流したり、浄化設備により浄化してＵ字溝等へ排水した場合も、下水道や排水溝よりハエ等の衛生害虫や不快害虫（以下衛生害虫等という）が排水管を通って建造物内や浄化設備へと侵入し、環境衛生を悪化させる問題もある。
かかる問題を改善するため従来では、台所や洗面所、浴室、洗濯機等の排水口にトラップ装置を設けたり、排水管の途中に設けた集合枡の排水口にトラップ装置を設置して、下水道や浄化設備から臭気や衛生害虫等が排水管を通って建造物内へ侵入するのを防止している（例えば特許文献１）。
【０００４】
前記特許文献１に記載されたトラップ付き枡装置は、縦方向に長い有底筒状の枡本体に、枡本体の流出口側から枡本体の下方に向かって突出するエルボを設けると共に、枡本体の流入口側と前記エルボとの間に容器を設けたもので、枡本体内の汚水の水位がエルボの枡本体側開口部より高くなることにより生じる封水作用により、流出口側から臭気や衛生害虫等が枡本体側へ侵入するのを防止したり、枡本体内の臭気や衛生害虫等が流水口より排水溝側へ排出されるのを防止するようになっている。
【特許文献１】特開平６−１０１２６３号公報
【発明の開示】
【発明が解決しようとする課題】
【０００５】
しかし前記特許文献１に記載されたトラップ装置のように、枡本体内に一端側が下向きとなるよう流出口や流入口にエルボを取り付けたものでは、枡本体内の汚水の水位がエルボの枡本体側開口部より低下した場合、封水作用が消滅するため防臭防虫効果がなくなる問題がある。
また枡本体の流入口や流出口にエルボを取り付けたトラップ装置の場合、流入口や流出口の中心からエルボの開口端までに高さが必要なため、底の浅い枡の場合トラップ装置が設置できない等の問題がある。
一方枡本体の流入口にエルボを上向きにして取り付け、エルボ内に溜まった汚水の封水作用により防臭防虫を得るようにしたトラップ装置もあるが、この場合排水管の勾配が小さいと、生活排水等とともに排水路に流入した固形物が長時間停滞することになり、その結果固形物中の油分が排水管内で固化して、排水路が詰まる原因となる等の問題がある。
【０００６】
またバッ気型浄化槽を使用した浄化設備では、槽本体が地中に埋設されている上、常時槽本体内に空気が送り込まれている関係から、槽本体内に溜まった汚水の温度は常時１０〜１８°Ｃに維持されている。
このため衛生害虫等が繁殖する温床となって四季を通じて衛生害虫等が発生し、これら衛生害虫等が排水路を通って建造物内へ侵入する問題がある。
さらに浄化設備には、内部を点検したり、薬品を投入するためのマンホールが設けられているが、このマンホールを閉鎖する蓋体が、槽本体内へ送り込まれた空気圧により浮き上がってマンホールとの間に僅かな隙間が発生し、この隙間より臭いが漏れたり、衛生害虫等が槽本体内へ出入りする問題もある。
【０００７】
本発明はかかる従来の問題を改善するためになされたもので、簡単な構成で高い防臭、防虫効果が得られるトラップ装置を提供することを目的とするものである。
【課題を解決するための手段】
【０００８】
本発明のトラップ装置は、生活排水等を下水へ排水する排水管に取り付けて、臭気や衛生害虫等の侵入を防止するトラップ装置であって、一端側に排水管に接続する流入口を有し、他端側に傾斜する流出口を有する筒状のトラップ本体と、トラップ本体の流出口に設けられ、かつ上部がヒンジにより流出口の上部に開閉自在に蝶着されたシャッタ板とを備え、シャッタ板の自重により流出口を閉鎖することにより、流出口より臭気や衛生害虫等が侵入するのを防止するようにしたものである。
【０００９】
前記構成により、トラップ本体の排水口がシャッタ板の自重により密閉された状態になるため、枡本体内に流入した生活排水等の臭気や、浄化設備より排水管を通って枡本体内に達した臭気が上流側の排水管を通って建造物内へ侵入するのを確実に防止することができると共に、下水道や排水溝より排水管を通って浄化設備内へ侵入した衛生害虫等や、浄化設備内で繁殖した衛生害虫等が上流側の排水管を通って建造物内へ侵入するのも確実に防止することができる。
また排水管の先端に取り付けられたトラップ本体の中心は、排水管のほぼ中心と一致した状態で枡本体内に突出するため、従来のエルボよりなるトラップ装置に比べて底の浅い枡本体内に取り付けることができ、これによって勾配の小さい排水管の途中に設置された枡本体にもトラップ装置が容易に設置できると共に、勾配が小さい排水管に設置した場合でも、生活排水等とともに排水管に流入した固形物が長時間排水管内に停滞することがないため、固形物中の油分が排水管内で固化して排水路が詰まる等の問題を生じることも少ない。
さらにバッ気浄化設備の場合、浄化槽内へ送り込まれた空気は排水管に取り付けられたトラップ装置のシャッタ板を押し開いて外部へ排出されるため、内部を点検したり、薬品を投入するために設けられたマンホールの蓋体が、槽本体内へ送り込まれた空気圧により浮き上がることがないため、マンホールより臭気が漏れたり、衛生害虫等が浄化設備内へ出入りする問題も解消することができる。
【００１０】
本発明のトラップ装置は、シャッタ板を水平方向に複数分割して上部シャッタ板と下部シャッタ板を形成し、かつ上部シャッタ板と下部シャッタ板の間をヒンジにより蝶着したものである。
【００１１】
前記構成により、排水管を通って枡本体内へ流入する生活排水等の流量に応じて、シャッタ板の下部シャッタ板が順次開放するため、生活排水等の流量が少ない場合シャッタ板全体が開放することがないので、確実に防臭、防虫効果が得られるようになる。
【発明の効果】
【００１２】
本発明のトラップ装置によれば、トラップ本体の排水口がシャッタ板の自重により密閉された状態になるため、枡本体内に流入した生活排水等の臭気や、浄化設備より排水管を通って枡本体内に達した臭気が上流側の排水管を通って建造物内へ侵入するのを確実に防止することができると共に、下水道や排水溝より排水管通って浄化設備内へ侵入した衛生害虫等や、浄化設備内で繁殖した衛生害虫等が上流側の排水管を通って建造物内へ侵入するのも確実に防止することができる。
【発明を実施するための最良の形態】
【００１３】
本発明の実施の形態を、図面を参照して詳述する。
図１はトラップ装置の斜視図、図２は同断面図、図３は使用状態の断面図、図４ないし図６はトラップ装置の作用説明図である。
図１及び図２に示すトラップ装置の本体（以下トラップ本体という）１は、塩化ビニル等の樹脂により一体形成された筒状体よりなり、塩化ビニル管等の排水管５に直接接続できるよう排水管５の口径に応じて複数種類のサイズのものが予め用意されている。
【００１４】
トラップ本体１の一端側は排水管５の接続口１ａとなっていて、排水管５の外周側や内周側に嵌合できるようになっており、トラップ本体１の他端側は、排水口１ｂとなっていて、上部の全長に対して下部の全長が長くなるように開口縁が傾斜されており、傾斜角θは、排水口１ｂに取り付けられたシャッタ板２が自重で開口縁に密着する角度に設定されている。
トラップ本体１の排水口１ｂ側上部には、ヒンジ３の軸受け部３ａがトラップ本体１を成形する際一体に成形されており、この軸受け部３ａに軸ピン３ｂによりシャッタ板２の上部が開閉自在に枢着されている。
【００１５】
シャッタ板２は、トラップ本体１の排水口１ｂを密閉できる大きさの板体により形成されていて、トラップ本体１の口径が大径の場合は、中央部より下の部分がほぼ水平方向に複数分割されており、トラップ本体１が小径の場合は、図７に示す変形例のように一体型のシャッタ板２が使用されている。
シャッタ板２は防錆効果のある塩化ビニル等の樹脂板や、ステンレス等の金属板により形成されていて、シャッタ板２の上部には、ヒンジ３の軸受け部３ｃが一体形成されており、この軸受け部３ｃと、トラップ本体１側の軸受け部３ａを水平方向に貫通する軸ピン３ｂによりトラップ本体１の上部にシャッタ板２の上部が蝶着されていて、軸ピン３ｂを中心にシャッタ板２全体が上下方向へ開閉自在となっている。
【００１６】
シャッタ板２は、ほぼ中央より上下に２分割され、さらに下部が２分割されて、上部シャッタ板２ａと下部シャッタ板２ｂ，２ｃが形成されており、上部シャッタ板２ａの上部がヒンジ４によりトラップ本体１の上部に枢着されていると共に、上部シャッタ板２ａと下部シャッタ板２ｂの間及び下部シャッタ板２ｂ，２ｃの間をそれぞれ蝶着するヒンジ４は、各シャッタ板２ａ、２ｂ、２ｃの接合部に一体に形成された軸受け部４ａ、４ｂと、これら軸受け部４ａ、４ｂを貫通するように設けられた軸ピン４ｃとにより形成されていて、軸ピン４ｃを中心に上部シャッタ板２ａと各下部シャッタ板２ｂ、２ｃが個々に開閉できるようになっている。なお図中２ｄはシャッタ板２を手動で開閉する際に把持する突出片である。
【００１７】
次に前記構成されたトラップ装置の作用を図３ないし図６に示す図面を参照して詳述する。
排水管５へトラップ装置を設置するに当たっては、例えば図３に示すように台所や洗面所、浴室、洗濯等から排水される生活排水や、トイレ等から排水される汚水を浄化槽等の浄化設備（ともに図示せず）へ排水する排水管５の途中に設けられた集合枡等の枡本体６内に設置する。
枡本体６には、生活排水等が流入する流入口６ａと、生活排水等を浄化設備等へ排水する流出口６ｂとを有していて、それぞれ塩化ビニル管よりなる排水管５が接続されており、通常排水管５の端部が枡本体６内に少し突出されている。
【００１８】
トラップ本体１の設置に当たっては、トラップ本体１を取り付ける排水管５の口径に合致した口径のトラップ本体１を予め用意し、枡本体６の流入口６ａより枡本体６内へ突出する排水管５の先端部に、内面に接着剤を塗布したトラップ本体１の接続口１ａを圧入して、排水管５にトラップ本体１を図３に示すように取り付けるが、このときシャッタ板２とトラップ本体１に蝶着しているヒンジ３が上側となるように取り付ける。
以上のようにした枡本体６内に突出する排水管５の先端に取り付けられたトラップ本体１は、排水口１ｂがシャッタ板２の自重により密閉された状態になるため、枡本体６内に流入した生活排水等の臭気や、浄化設備より排水管５を通って枡本体６内に達した臭気が上流側の排水管５を通って建造物内へ侵入するのを防止することができる。
また下水道や排水溝より排水管５を通って浄化設備内へ侵入した衛生害虫等や、浄化設備内で繁殖した衛生害虫等が上流側の排水管５を通って建造物内へ侵入するのを防止することができる。
【００１９】
一方排水管５内に流入された生活排水等が枡本体６内に達すると、排水管５内を流れる生活排水等の水圧によりシャッタ板２全体が図４に示すように押し開けられて枡本体６内に流入するが、このとき排水管５内を流れる生活排水等の水圧により枡本体６内の臭気や衛生害虫等は、上流側の排水管５へは侵入できないため、排水時にも防臭、防虫効果が得られるようになる。
また排水管５を通って枡本体６内へ流入する生活排水等の流量が少ない場合、生活排水等の流量に応じて、シャッタ板２の下部シャッタ板２ｂ、２ｃが図５や図６に示すように開放する。
すなわち生活排水等の流量が中程度の場合は、図５に示すように下部シャッタ板２ｂ，２ｃが開放し、生活排水等の流量が少ない場合は図６に示すように一番下側の下部シャッタ板２ｃのみが開放する。
これによって生活排水等の流量が少ないときでもシャッタ板２全体が開放することがないので、確実に防臭、防虫効果が得られるようになる。
さらに枡本体６内に突出する排水管５の先端に取り付けられたトラップ本体１の中心は、排水管５のほぼ中心と一致した状態で枡本体６内に突出するため、従来のエルボよりなるトラップ装置に比べて底の浅い枡本体６内に取り付けることができ、これによって勾配の小さい排水管５の途中に設置された枡本体６にも容易に設置できるようになる。
【００２０】
なおトラップ本体１は、前述したように排水管５の途中に設置された枡本体６内に設置する場合、枡本体６内に突出された排水管５の先端に取り付ける方法が一般的であり、通常は排水管５の外周部にトラップ本体１を嵌着するが、排水管５の内周に嵌合できるインナソケットを予め製作しておくことにより、排水管５の内周部にもトラップ本体１を取り付けることができる。
また枡本体６がコンクリート製の場合でも、枡本体６内に突出した排水管５に直接トラップ本体１を取り付けることにより、コンクリート製枡本体６の壁面をトラップ本体１の口径に合わせてハツリ作業を行う必要がないため、トラップ装置の取り付け作業が短時間で行えるようになる。
【００２１】
一方図７に示す変形例は、トラップ本体１の口径が比較的小さい場合を示すもので、トラップ本体１の排水口１ｂを閉鎖するシャッタ板２が一体化されている以外は、前述した実施の形態と同様である。
図７に示す変形例のようにトラップ本体１の口径が比較的小さいトラップ装置は、排水管５に取り付けて使用できる他に、図８に示すようにトイレの汚水を流す排水管５の上部に分岐管７を介して吸気管８を設け、この吸気管８の内部にインナソケット９を用いてトラップ本体１を設けてもよく、吸気管８より臭気が外部へ漏れるのを防止できる上、吸気管８の先端側開口に取り付けられた防虫網１０より極小さい衛生害虫等が吸気管８内に侵入しても、トラップ本体１に設けられたシャッタ板２によって建造物や浄化設備内へ侵入するのを防止することができる。
【００２２】
なお自動販売機等により販売された缶やビンを回収する回収ボックスの缶やビンの投入口にトラップ装置を設けてもよい。この場合シャッタ板２側が回収ボックスの内側となるように投入口にトラップ本体１を取り付けることにより、シャッタ板２が缶やビンの投入に何等支障とならない上、回収ボックス内の臭気が外へ漏れたり、衛生害虫等が回収ボックス内へ侵入するのを防止することができるようになる。
【図面の簡単な説明】
【００２３】
【図１】本発明の実施の形態になるトラップ装置の斜視図である。
【図２】本発明の実施の形態になるトラップ装置の断面図である。
【図３】本発明の実施の形態になるトラップ装置の使用状態の断面図である。
【図４】本発明の実施の形態になるトラップ装置の作用説明図である。
【図５】本発明の実施の形態になるトラップ装置の作用説明図である。
【図６】本発明の実施の形態になるトラップ装置の作用説明図である。
【図７】本発明の実施の形態になるトラップ装置の変形例を示す斜視図である。
【図８】本発明の実施の形態になるトラップ装置の変形例を示す使用状態の説明図である。
【符号の説明】
【００２４】
１      トラップ本体
１ａ    接続口
１ｂ    流出口
２      シャッタ板
２ａ    上部シャッタ板
２ｂ    下部シャッタ板
２ｃ    下部シャッタ板
３      ヒンジ
４      ヒンジ
５      排水管
６      枡本体
【図１】
2005299326.tif 000003
【図２】
2005299326.tif 000004
【図３】
2005299326.tif 000005
【図４】
2005299326.tif 000006
【図５】
2005299326.tif 000007
【図６】
2005299326.tif 000008
【図７】
2005299326.tif 000009
【図８】
2005299326.tif 000010